(57)【特許請求の範囲】
【請求項１】
パネルとファンネルとから外囲器が構成される陰極線管と、前記陰極線管の前記ファンネルの外部に配置され、主磁界を発生する垂直偏向コイルおよび水平偏向コイルとを備えた偏向ヨークとからなる陰極線管装置において、前記偏向ヨークは、前記主磁界を変化させる磁界補正部品を収納するホルダーを備え、
前記ホルダーは、前記磁界補正部品を固定保持する弾性部材と前記弾性部材を支持する支持部材とを有し、
前記磁界補正部品を前記ホルダーに収納したときに、前記弾性部材が前記支持部材に接触し支持されていることを特徴とする陰極線管装置。
【請求項２】
前記支持部材に突起が設けられており、前記磁界補正部品を前記ホルダーに収納したときに、前記弾性部材は前記突起に接触し支持されることを特徴とする請求項１記載の陰極線管装置。
【請求項３】
パネルとファンネルとから外囲器が構成される陰極線管と、前記陰極線管の前記ファンネルの外部に配置され、主磁界を発生する垂直偏向コイルおよび水平偏向コイルとを備えた偏向ヨークとからなる陰極線管装置において、前記偏向ヨークは、前記主磁界を変化させる磁界補正部品を収納するホルダーを備え、
前記ホルダーは、前記陰極線管の管軸から遠い側へと延在する第１の内壁と、前記管軸から遠い側へと延在しかつ前記第１の内壁と前記管軸側のみで結合された第１の外壁と、前記第１の内壁に対向しかつ前記管軸から遠い側へと延在する第２の内壁と、前記管軸から遠い側へと延在しかつ前記第２の内壁と前記管軸側のみで結合された第２の外壁とを有し、
前記第１の内壁が前記第１の外壁側に弾性変形するとともに前記第２の内壁が前記第２の外壁側に弾性変形することによって、前記磁界補正部品が前記第１の内壁及び前記第２の内壁に挟持されていることを特徴とする陰極線管装置。
【請求項４】
前記第１の内壁側に向いた突起が前記第１の外壁に設けられるとともに、前記第２の内壁側に向いた突起が前記第２の外壁に設けられており、
前記突起近傍の第１及び第２の内壁によって前記磁界補正部品が挟持されていることを特徴とする請求項３記載の陰極線管装置。
【発明の詳細な説明】
【０００１】
【発明の属する技術分野】
本発明は、ディスプレイモニタやテレビジョン受像機に用いられる陰極線管装置に関するものであり、特に、その偏向ヨークに関する。
【０００２】
【従来の技術】
陰極線管装置のコンバーゼンス（画面への色集中性）を確実に行うために、偏向ヨークに補助的な磁界補正部品を備えることが一般に行われており、例えば、磁界補正部品としてフェライト部材を用い、このフェライト部材によって主磁界を変化させて、画面左右における横方向の色ずれもしくは画面上下における縦方向の色ずれといったＸＨ、ＹＶと呼ばれるミスコンバーゼンスを補正することがよく知られている。
【０００３】
磁界補正部品として頻繁に用いられるフェライト部材は、例えば図６に示すようなホルダー部材２４にフェライト部材２５を収納保持させ、ホルダー部材２４ごと偏向ヨークに装着するのが一般的である。
【０００４】
【発明が解決しようとする課題】
しかしながら、フェライトはその寸法精度が低いため、ホルダ−部材に収納する際の位置ずれが生じやすく、従来の構成では正規の位置にフェライト部材を配置させることが困難であったため、組み立てばらつきやコンバーゼンス補正の性能ばらつきが生じるという課題を有していた。
【０００５】
現在、陰極線管装置を構成する各部品においてコストダウンが強く要求されており、偏向ヨークのコストダウンを図るための一つの要素として、組み立てばらつきのないことが挙げられる。また、当然ながら、陰極線管の解像度や色純度といった性能を高めるためには、コンバーゼンス補正の性能ばらつきはない方が望ましい。これらのことから、補正部品であるフェライトをホルダー部材に正確に収納するための技術が求められていた。
【０００６】
本発明は、これらの課題を解決するためになされたもので、簡単な構成で所望の位置に磁界補正部品を備え、コストダウンおよび確実なコンバーゼンス補正を実現できる陰極線管装置を提供することを目的としている。
【０００７】
【課題を解決するための手段】
上記課題を解決するために、本発明の陰極線管装置は、パネルとファンネルとから外囲器が構成される陰極線管と、前記陰極線管の前記ファンネルの外部に配置され、主磁界を発生する垂直偏向コイルおよび水平偏向コイルとを備えた偏向ヨークとからなる陰極線管装置において、前記偏向ヨークは、前記主磁界を変化させる磁界補正部品を収納するホルダーを備え、前記ホルダーは、前記磁界補正部品を固定保持する弾性部材と前記弾性部材を支持する支持部材とを有し、前記磁界補正部品を前記ホルダーに収納したときに、前記弾性部材が前記支持部材に接触し支持されている。
【０００８】
また、本発明の陰極線管装置は、前記支持部材に突起が設けられており、前記磁界補正部品を前記ホルダーに収納したときに、前記弾性部材は前記突起に接触し支持されることが好ましい。
【０００９】
上記課題を解決するために、本発明の陰極線管装置は、パネルとファンネルとから外囲器が構成される陰極線管と、前記陰極線管の前記ファンネルの外部に配置され、主磁界を発生する垂直偏向コイルおよび水平偏向コイルとを備えた偏向ヨークとからなる陰極線管装置において、前記偏向ヨークは、前記主磁界を変化させる磁界補正部品を収納するホルダーを備え、前記ホルダーは、前記陰極線管の管軸から遠い側へと延在する第１の内壁と、前記管軸から遠い側へと延在しかつ前記第１の内壁と前記管軸側のみで結合された第１の外壁と、前記第１の内壁に対向しかつ前記管軸から遠い側へと延在する第２の内壁と、前記管軸から遠い側へと延在しかつ前記第２の内壁と前記管軸側のみで結合された第２の外壁とを有し、前記第１の内壁が前記第１の外壁側に弾性変形するとともに前記第２の内壁が前記第２の外壁側に弾性変形することによって、前記磁界補正部品が前記第１の内壁及び前記第２の内壁に挟持されている。
【００１０】
また、本発明の陰極線管装置は、前記第１の内壁側に向いた突起が前記第１の外壁に設けられるとともに、前記第２の内壁側に向いた突起が前記第２の外壁に設けられており、前記突起近傍の第１及び第２の内壁によって前記磁界補正部品が挟持されていることが好ましい。
【００１１】
【発明の実施の形態】
以下、本発明の実施の形態について図面を用いて説明する。
【００１２】
本発明の実施の形態に係る陰極線管装置の外観図を図２に示す。陰極線管装置１は、内部に蛍光体スクリーンを有するパネル２と、ネック部３の内部に電子銃を備えたファンネル４とから外囲器が構成された陰極線管５を有し、そのファンネル４のネック部側に、電子銃から射出される電子ビームを磁界分布によって蛍光体スクリーンのほぼ全面に偏向させるための偏向ヨーク６を備えている。
【００１３】
偏向ヨーク６は、絶縁枠７の内側に巻回された水平偏向コイル（図示せず）と、絶縁枠７の外側に巻回された垂直偏向コイル８と、垂直偏向コイル８の外側に配置されたフェライトコア９と、絶縁枠７の後方（陰極線管に装着されたとき管軸Ｚに沿ってパネルから遠ざかる方向）に設けられ、補助コイルとしてのコマ収差補正コイル１０やコンバーゼンスヨーク１１、端子板１２等を保持するホルダー１３とから構成されている。
【００１４】
ホルダー１３は、その前方（陰極線管に装着されたとき、管軸Ｚに沿ってパネルに近くなる方向）で管軸Ｚを挟んで水平軸Ｘ方向両側に収納部１４を有しており、図３に示すようにこの収納部１４にＸＨ、ＹＶを補正する部品であるフェライト部材１５を収納保持している。
【００１５】
本発明の特徴を最も表している収納部とフェライト部材について、図１を用いてさらに詳しく説明する。図１（ａ）は、偏向ヨークの前方から見た収納部１４の部分断面図を示しており、コの字型のフェライト部材１５を矢印Ａの方向へ移動させて収納部１４に保持させるようになっている。
【００１６】
収納部１４の壁は二重になっており、両側にある内壁１６と外壁１７とはそれぞれ互いに管軸Ｚに近い側で結合されている。内壁１６は、管軸Ｚから遠い側へ延在し、先端部１８付近で外壁の方向へ若干折れ曲がった形状をしており、根元部１９を支点として弾性変形する弾性部材となっている。また、外壁１７は、内壁１６が弾性変形した際に内壁１６を支える支持部材となる。ここで、フェライト部材１５の幅Ｗ１は、対向する２つの内壁同士の根元部１９での間隔Ｌ１よりも大きく、また、対向する２つの内壁同士の先端部１８での間隔Ｌ２よりも小さい。なお、本実施の形態では、フェライト部材１５の幅Ｗ１を３５〜４０ｍｍ、対向する２つの内壁同士の根元部１９での間隔Ｌ１を３４〜３９ｍｍとし、かつ、幅Ｗ１と間隔Ｌ１との差を０．５ｍｍ〜１．５ｍｍとした。また、対向する２つの内壁同士の先端部１８での間隔Ｌ２を３６〜４２ｍｍとし、かつ、間隔Ｌ２と幅Ｗ１との差を０．５ｍｍ〜２．０ｍｍとした。さらに、フェライト部材１５の長さＬ４は２４〜２９ｍｍとし、内壁１６と外壁１７との間隔Ｌ３は２〜３ｍｍとした。
【００１７】
フェライト部材が収納部に挿入されると、図１（ｂ）のように、フェライト部材１５に押されて、内壁１６の形状が破線から実線のように弾性変形する。このとき、内壁１６は、根元部１９に近い側でフェライト部材１５を挟持し、また、その先端部１８は支持部材である外壁１７に接触し支持されて強度を確保するので、フェライト部材１５をしっかり保持することができる。これによって、陰極線管装置の水平軸Ｘ方向、垂直軸Ｙ方向ともに、フェライト部材の寸法ばらつき等による不要な位置ずれを抑えることができる。しかも、内壁１６は弾性変形するので、ＸＨ、ＹＶ補正をさらに微調整したい場合にはフェライト部材１５を摺動させることが可能である。
【００１８】
また、収納部を陰極線管装置の水平軸Ｘ方向から見た図１（ｃ）に示すように、収納部１４は折り返し部２０を有しているので、フェライト部材１５の、陰極線管装置の水平軸Ｘ方向、垂直軸Ｙ方向のみならず、管軸Ｚ方向の位置ずれも抑えることができる。
【００１９】
以上のように、磁界補正部材であるフェライト部材の寸法誤差にかかわらず、また、フェライト部材を包むような別部材を特別に用いたりすることなく、偏向ヨークの所望の位置でフェライト部材を確実に保持することができるので、簡単な構成で、コンバーゼンスを向上させ、陰極線管の画質、色純度を優れたものとすることができる。
【００２０】
なお、収納部は、図４に示すように、その外壁１７に内側へ向いた突起２１を有していてもよい。この場合、フェライト部材が収納部に挿入されると、内壁１６の形状が破線から実線のように弾性変形する。内壁１６は、根元部１９に近い側および突起２１に近い箇所でフェライト部材１５を挟持し、また、外壁１７の突起２１と接触して強度を確保できる。つまり、外壁１７および突起２１は、弾性部材である内壁１６を支える支持部材として機能する。このような構成によって、所望の位置でフェライト部材１５をしっかり保持することができるので、陰極線管装置の水平軸Ｘ方向、垂直軸Ｙ方向ともに、フェライト部材の寸法ばらつき等による不要な位置ずれを抑えることができる。
【００２１】
また、上記実施の形態では、磁界補正部品として、コの字型のフェライト部材を用いた例を示したが、これに限ったものではなく、磁界補正部品はＩ字型やＬ字型であってもよく、また、フェライト以外に磁性合金等を材料とする部材を用いてもよい。
【００２２】
さらに、上記実施の形態では収納部がフェライト部材の外側を挟持する構成を示したが、これに限らず、フェライト部材の内側を支えるような構成であってもよい。この場合、例えば図５に示すように、コの字型のフェライト部材１５を矢印Ａの方向へ移動させて収納部１４に保持させるものであって、収納部１４には、フェライト部材１５の内側を保持するための弾性部材２２と、管軸Ｚに近い側で弾性部材２２と結合し、かつフェライト部材１５を保持しながら弾性変形した弾性部材をさらに支持する支持部材２３とを備えた構成とする。ここで、フェライト部材１５の内側の幅Ｗ２は、２つの弾性部材２２の外側同士間の最大距離Ｌ５よりも小さくするのが好ましい。
【００２３】
また、図１、図４、図５を用いて説明した上記実施の形態では、収納部の弾性部材と支持部材とが管軸Ｚに近い側で結合されている例を示したが、これに限ったものではなく、弾性部材と支持部材とは完全に別部材であってもよい。また、弾性部材が、それのみでも充分に磁界補正部品を保持できる機械的強度を有しており、かつ磁界補正部品の摺動が可能な程度の弾性を有していれば、支持部材は特に設けなくてもよい。
【００２４】
【発明の効果】
以上のように、本発明によれば、簡単な構成で所望の位置に磁界補正部品を備えることができ、これによりコストダウンおよび確実なコンバーゼンス補正を実現できる。
【図面の簡単な説明】
【図１】（ａ）本発明の実施の形態におけるホルダーの収納部の部分断面図とフェライト部材を示す図
（ｂ）本発明の実施の形態におけるホルダーの収納部にフェライト部材を挿入した状態を示す部分断面図
（ｃ）本発明の実施の形態におけるホルダーの収納部にフェライト部材を挿入した状態を示す部分側面図
【図２】本発明の実施の形態に係る陰極線管装置の外観図
【図３】本発明の実施の形態における偏向ヨークをパネル側からみた部分斜視図
【図４】本発明の実施の形態において突起を有する収納部にフェライト部材を挿入した状態を示す部分断面図
【図５】本発明の実施の形態において収納部の弾性部材を内側に設けた例を示す部分断面図
【図６】従来のホルダー部材にフェライト部材が挿入された状態を示す部分斜視図
【符号の説明】
１  陰極線管装置
２  パネル
４  ファンネル
５  陰極線管
６  偏向ヨーク
８  垂直偏向コイル
１３  ホルダー
１５  フェライト部材
１６  内壁
【図１】
0003855654.tif 000002
【図２】
0003855654.tif 000003
【図３】
0003855654.tif 000004
【図４】
0003855654.tif 000005
【図５】
0003855654.tif 000006
【図６】
0003855654.tif 000007